【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
ビットストリームの中のビデオ情報を復号するための装置であって、
現在ピクチャを有するビデオレイヤに関連したビデオデータを記憶するように構成されたメモリと、
前記メモリと通信しており、
前記現在ピクチャに関連したスライスセグメントヘッダ拡張の長さが０であるかどうかを決定し、
前記現在ピクチャに関連した前記スライスセグメントヘッダ拡張の長さが０であるという決定に基づいて、前記現在ピクチャに関連したピクチャ順序カウント（ＰＯＣ）値の１つ以上の最上位ビット（ＭＳＢ）を示す第１のシンタックス要素が前記ビットストリームの中に存在しないと決定し、
前記第１のシンタックス要素が前記ビットストリームの中に存在しないという前記決定に基づいて、前記現在ピクチャに関連した前記ＰＯＣ値の前記１つ以上のＭＳＢを示す前記第１のシンタックス要素を、前記ビットストリームの中で、受信することなく前記現在ピクチャを復号するように構成された
プロセッサとを備える装置。
【請求項２】
前記プロセッサが、前記スライスセグメントヘッダ拡張の長さを示す第２のシンタックス要素に基づいて、前記スライスセグメントヘッダ拡張の長さが０であるかどうかを決定するように更に構成される、請求項１に記載の装置。
【請求項３】
前記プロセッサが、前記現在ピクチャに関連した前記スライスセグメントヘッダ拡張が前記ビットストリームの中に存在するかどうかを示す第３のシンタックス要素に基づいて、前記前記スライスセグメントヘッダ拡張の長さが０であるかどうかを決定するように更に構成される、請求項１に記載の装置。
【請求項４】
前記プロセッサが、前記現在ピクチャがクリーンランダムアクセス（ＣＲＡ）ピクチャ又はブロークンリンクアクセス（ＢＬＡ）ピクチャであるかどうかに少なくとも部分的に基づいて、前記第１のシンタックス要素が前記ビットストリームの中に存在しないと決定するように更に構成される、請求項１に記載の装置。
【請求項５】
前記プロセッサが、
前記現在ピクチャがＣＲＡピクチャ又はＢＬＡピクチャであるかどうかを決定し、
前記現在ピクチャがＣＲＡピクチャ又はＢＬＡピクチャであるという決定に基づいて、前記ＰＯＣ値の前記１つ以上のＭＳＢが前記ビットストリームの中で提供されることを必要とされるという表示を処理し、
前記ＰＯＣ値の前記１つ以上のＭＳＢが前記ビットストリームの中に存在することを必要とされるという前記表示にかかわらず、前記前記スライスセグメントヘッダ拡張の長さが０であるという前記決定に基づいて、前記第１のシンタックス要素が前記ビットストリームの中に存在しないと決定する
ように更に構成される、請求項１に記載の装置。
【請求項６】
前記プロセッサが、前記スライスセグメントヘッダ拡張の長さを示す第２のシンタックス要素に基づいて、前記スライスセグメントヘッダ拡張の長さが０であるかどうかを決定するように更に構成される、請求項５に記載の装置。
【請求項７】
前記プロセッサが、前記第１のシンタックス要素が前記ビットストリームの中に存在しないことを示すためにパラメータを０に設定するように更に構成される、請求項１に記載の装置。
【請求項８】
前記プロセッサが、別のピクチャに関連した、別のスライスセグメントヘッダ拡張の長さが０でないという決定に基づいて、前記別のピクビャに関連したＰＯＣ値の１つ以上のＭＳＢを示す第２のシンタックス要素に少なくとも部分的に基づいて、前記ビデオレイヤを復号するように更に構成される、請求項１に記載の装置。
【請求項９】
前記第２のシンタックス要素が、前記別のスライスセグメントヘッダ拡張の中で提供される、請求項８に記載の装置。
【請求項１０】
前記プロセッサが、
前記別のスライスセグメントヘッダ拡張が前記ビットストリームの中に存在するという決定に基づいて、前記別のピクチャに関連した前記ＰＯＣ値の前記１つ以上のＭＳＢが、前記ビットストリームの中に存在することを必要とされるかどうかを決定し、
前記別のピクチャに関連した前記ＰＯＣ値の前記１つ以上のＭＳＢが前記ビットストリームの中に存在することを必要とされるという決定に基づいて、前記ビットストリームの中の前記第２のシンタックス要素を処理する
ように更に構成される、請求項８に記載の装置。
【請求項１１】
前記プロセッサが、関連した前記ＰＯＣ値の前記１つ以上のＭＳＢが前記ビットストリームの中に存在することを必要とされないという決定に基づいて、前記第１のシンタックス要素が前記ビットストリームの中に存在しないと決定するように更に構成される、請求項１に記載の装置。
【請求項１２】
ビットストリームの中のビデオ情報を復号する方法であって、
ビデオレイヤの中の現在ピクチャに関連したスライスセグメントヘッダ拡張の長さが０であるかどうかを決定することと、
（ｉ）前記現在ピクチャに関連した前記スライスセグメントヘッダ拡張の長さが０であるという決定に基づいて、前記現在ピクチャに関連したピクチャ順序カウント（ＰＯＣ）値の１つ以上の最上位ビット（ＭＳＢ）を示す第１のシンタックス要素が前記ビットストリームの中に存在しないと決定することと、前記第１のシンタックス要素が前記ビットストリームの中に存在しないという前記決定に基づいて、前記現在ピクチャに関連した前記ＰＯＣ値の前記１つ以上のＭＳＢを示す前記第１のシンタックス要素を、前記ビットストリームの中で、受信することなく前記現在ピクチャを復号することと、又は、
（ｉｉ）前記現在ピクチャに関連した前記スライスセグメントヘッダ拡張の長さが０でないという決定に基づいて、前記現在ピクチャに関連したＰＯＣ値の１つ以上のＭＳＢが前記ビットストリームの中に存在することを必要とされるかどうかを決定することと、前記現在ピクチャに関連した前記ＰＯＣ値の前記１つ以上のＭＳＢが前記ビットストリームの中に存在することを必要とされるという決定に基づいて、少なくとも部分的に、前記現在ピクチャに関連した前記ＰＯＣ値の前記１つ以上のＭＳＢを示す前記第１のシンタックス要素を、前記ビットストリームで、受信することによって前記現在ピクチャを復号することと、
のうちの１つを実行することと
を備える方法。
【請求項１３】
前記スライスセグメントヘッダ拡張の長さを示す第２のシンタックス要素に基づいて、前記スライスセグメントヘッダ拡張の長さが０であるかどうかを決定することを更に備える、請求項１２に記載の方法。
【請求項１４】
前記現在ピクチャに関連した前記スライスセグメントヘッダ拡張が前記ビットストリームの中に存在するかどうかを示す第３のシンタックス要素に基づいて、前記スライスセグメントヘッダ拡張の長さが０であるかどうかを決定することを更に備える請求項１２に記載の方法。
【請求項１５】
前記現在ピクチャがクリーンランダムアクセス（ＣＲＡ）ピクチャ又はブロークンリンクアクセス（ＢＬＡ）ピクチャであるかどうかに少なくとも部分的に基づいて、前記現在ピクチャに関連した前記第１のシンタックス要素が前記ビットストリームの中に存在しないと決定することを更に備える請求項１２に記載の方法。
【請求項１６】
前記現在ピクチャがＣＲＡピクチャ又はＢＬＡピクチャであるかどうかを決定することと、
前記現在ピクチャがＣＲＡピクチャ又はＢＬＡピクチャであるという決定に基づいて、前記ＰＯＣ値の前記１つ以上のＭＳＢが前記ビットストリームの中に存在することを必要とされると決定することと、
前記ＰＯＣ値の前記１つ以上のＭＳＢが前記ビットストリームの中に存在することを必要とされるという前記決定にかかわらず、前記スライスセグメントヘッダ拡張の長さが０であるという前記決定に基づいて、前記第１のシンタックス要素が前記ビットストリームの中に存在しないと決定することと
を更に備える請求項１２に記載の方法。
【請求項１７】
前記スライスセグメントヘッダ拡張の長さを示す第２のシンタックス要素に基づいて、前記スライスセグメントヘッダ拡張の長さが０であるかどうかを決定することを更に備える、請求項１６に記載の方法。
【請求項１８】
前記第１のシンタックス要素が前記ビットストリームの中に存在しないことを示すためにパラメータを０に設定することを更に備える請求項１２に記載の方法。
【請求項１９】
別のピクチャに関連した別のスライスセグメントヘッダ拡張の長さが０でないという決定に基づいて、前記別のピクチャに関連したＰＯＣ値の１つ以上のＭＳＢを示す第２のシンタックス要素に少なくとも部分的に基づいて、前記ビデオレイヤを復号することを更に備える請求項１２に記載の方法。
【請求項２０】
前記第２のシンタックス要素が、前記別のスライスセグメントヘッダ拡張の中で提供される、請求項１９に記載の方法。
【請求項２１】
前記別のピクチャに関連した前記ＰＯＣ値の前記１つ以上のＭＳＢが前記ビットストリームの中に存在することを必要とされるという決定に基づいて、前記ビットストリームの中の前記別のピクチャに関連した前記ＰＯＣ値の前記１つ以上のＭＳＢを処理することを更に備える請求項１９に記載の方法。
【請求項２２】
関連した前記ＰＯＣ値の前記１つ以上のＭＳＢが前記ビットストリームの中に存在することを必要とされないという決定に基づいて、前記第１のシンタックス要素が前記ビットストリームの中に存在しないと決定することを更に備える請求項１２に記載の方法。
【請求項２３】
実行されたとき、装置に、
現在ピクチャを有するビットストリームのビデオレイヤに関連したビデオデータを記憶させ、
前記現在ピクチャに関連したスライスセグメントヘッダ拡張の長さが０であるかどうかを決定させ、
前記現在ピクチャに関連した前記スライスセグメントヘッダ拡張の長さが０であるという決定に基づいて、前記現在ピクチャに関連したピクチャ順序カウント（ＰＯＣ）値の１つ以上の最上位ビット（ＭＳＢ）を示す第１のシンタックス要素が前記ビットストリームの中に存在しないと決定させ、
前記第１のシンタックス要素が前記ビットストリームの中に存在しないという前記決定に基づいて、前記現在ピクチャに関連した前記ＰＯＣ値の前記１つ以上のＭＳＢを示す前記第１のシンタックス要素を、前記ビットストリームで、受信することなく前記現在ピクチャを復号させる
コードを備えるコンピュータ可読媒体。
【請求項２４】
前記コードが、更に前記装置に、前記スライスセグメントヘッダ拡張の長さを示す第２のシンタックス要素に基づいて、前記スライスセグメントヘッダ拡張の長さが０であるかどうかを決定させる、請求項２３に記載のコンピュータ可読媒体。
【請求項２５】
前記コードが、更に前記装置に、前記現在ピクチャに関連した前記スライスセグメントヘッダ拡張が前記ビットストリームの中に存在するかどうかを示す第３のシンタックス要素に基づいて、前記スライスセグメントヘッダ拡張の長さが０であるかどうかを決定させる、請求項２３に記載のコンピュータ可読媒体。
【請求項２６】
前記コードが、更に前記装置に、
前記現在ピクチャがクリーンランダムアクセス（ＣＲＡ）ピクチャ又はブロークンリンクアクセス（ＢＬＡ）ピクチャであるかどうかを決定させ、
前記現在ピクチャがＣＲＡピクチャ又はＢＬＡピクチャであるという決定に基づいて、前記ＰＯＣ値の前記１つ以上のＭＳＢが前記ビットストリームの中に存在することを必要とされると決定させ、
前記ＰＯＣ値の前記１つ以上のＭＳＢが前記ビットストリームの中に存在することを必要とされるという前記決定にかかわらず、前記スライスセグメントヘッダ拡張の長さが０であるという前記決定に基づいて、前記第１のシンタックス要素が前記ビットストリームの中に存在しないと決定させる、
請求項２３に記載のコンピュータ可読媒体。
【請求項２７】
ビットストリームの中のビデオ情報を復号するように構成されたビデオコード化機器であって、
現在ピクチャを有するビデオレイヤに関連したビデオデータを記憶するための手段と、
前記現在ピクチャに関連したスライスセグメントヘッダ拡張の長さが０であるかどうかを決定するための手段と、
前記現在ピクチャに関連した前記スライスセグメントヘッダ拡張の長さが０であるという決定に基づいて、前記現在ピクチャに関連したピクチャ順序カウント（ＰＯＣ）値の１つ以上の最上位ビット（ＭＳＢ）を示す第１のシンタックス要素が前記ビットストリームの中に存在しないと決定するための手段と、
前記第１のシンタックス要素が前記ビットストリームの中に存在しないという前記決定に基づいて、前記現在ピクチャに関連した前記ＰＯＣ値の前記１つ以上のＭＳＢを示す前記第１のシンタックス要素を、前記ビットストリームで、受信することなく前記現在ピクチャを復号するための手段と
を備えるビデオコード化機器。
【請求項２８】
前記スライスセグメントヘッダ拡張の長さを示す第２のシンタックス要素に基づいて、前記スライスセグメントヘッダ拡張の長さが０であるかどうかを決定するための手段を更に備える、請求項２７に記載のビデオコード化機器。
【請求項２９】
前記現在ピクチャに関連した前記スライスセグメントヘッダ拡張が前記ビットストリームの中に存在するかどうかを示す第３のシンタックス要素に基づいて、前記スライスセグメントヘッダ拡張の長さが０であるかどうかを決定するための手段を更に備える請求項２７に記載のビデオコード化機器。
【請求項３０】
前記現在ピクチャがクリーンランダムアクセス（ＣＲＡ）ピクチャ又はブロークンリンクアクセス（ＢＬＡ）ピクチャであるかどうかを決定するための手段と、
前記現在ピクチャがＣＲＡピクチャ又はＢＬＡピクチャであるという決定に基づいて、前記ＰＯＣ値の前記１つ以上のＭＳＢが前記ビットストリームの中に存在することを必要とされると決定するための手段と、
前記ＰＯＣ値の前記１つ以上のＭＳＢが前記ビットストリームの中に存在することを必要とされるという前記決定にかかわらず、前記スライスセグメントヘッダ拡張の長さが０であるという前記決定に基づいて、前記第１のシンタックス要素が前記ビットストリームの中に存在しないと決定するための手段と
を更に備える請求項２７に記載のビデオコード化機器。